(57)【要約】      （修正有）【課題】アッパーケースとインナーケースとが一緒に回動しても、遮光板がフォトインタラプタに当たる恐れのない壁取り付け型機器を提供する。【解決手段】ロアケース２に対し、左端部が左右および前後（図５で上下）に隔たった位置を中心にして回動可能に支持されたアッパーケース３とインナーケース５が一緒に矢印Ｂ，Ｃ方向に回動するとき、間隔保持部１６がアッパーケースとインナーケースとの離間間隔を所定の間隔以上に保持する。これにより、遮光板１４がフォトインタラプタ１３に対して横方向から当接することが防止される。【選択図】図５
2010168772.tif 000002
【特許請求の範囲】
【請求項１】
壁面に固定され、前面に開口部を有する本体と、
少なくとも制御装置を構成する部品を装着し、前記本体に一端部が回動可能に支持されて、一方向への回動により前記本体内に収納され、逆方向への回動により前記本体内から退出される部品装着体と、
前記本体に一端部が、前記部品装着体の前記一端部の回動支持位置よりも外側において回動可能に支持されて、一方向への回動により前記本体の前記開口部を閉鎖し、逆方向への回動により前記本体の前記開口部を開放するカバー部材と、
前記部品装着体および前記カバー部材のうちの一方に設けられ、投光素子と受光素子を互いに対向させて有するフォトインタラプタと、
前記部品装着体および前記カバー部材のうちの他方に突設され、前記本体の前記開口部を閉鎖する前記カバー部材の前記一方向への回動により前記フォトインタラプタの前記投光素子と受光素子との間に侵入し、前記本体の前記開口部を開放する前記カバー部材の前記逆方向への回動により前記フォトインタラプタの前記投光素子と受光素子との間から脱出する遮光突部と、
を具備し、前記受光素子が前記投光素子から発せられた光を受光することによって前記カバー部材の開放を検出するように構成した壁取り付け型機器において、
前記部品装着体が前記カバー部材に接した状態で前記本体の前記開口部を閉鎖する前記一方向に回動するとき、前記遮光突部が、前記フォトインタラプタの前記投光素子と前記受光素子との間から脱した状態で、前記フォトインタラプタに対し、前記投光素子と前記受光素子との間に侵入する方向と交差する横方向から当接することを防止するために、前記部品装着体側および前記カバー部材側のうちの少なくとも一方側に、前記遮光部材が前記投光素子と前記受光素子との間から脱した状態において、前記部品装着体と前記カバー部材との離間間隔を所定の間隔以上に保持し、前記遮光突部が前記フォトインタラプタの前記横方向に位置することを回避する間隔保持部を突設したことを特徴とする壁取り付け型機器。
【請求項２】
請求項１記載の壁取り付け型機器において、
前記間隔保持部は、前記部品装着体側に突設され、前記本体に回動可能に支持された前記一端部とは反対側の端部から前記カバー部材に向って突出するように形成された突出片部と、前記突出片部の先端部に前記部品装着体から離れる方向に延びる当接片部を備えて、全体としてＬ字形をなしていることを特徴とする壁取り付け型機器。
【発明の詳細な説明】
【技術分野】
【０００１】
本発明は、本体の前面の開口部をカバー部材によって開閉する構成の壁取り付け型機器に係り、特に、カバー部材の開閉をフォトインタラプタによって検出する構成の壁取り付け型機器に関する。
【背景技術】
【０００２】
例えば、壁取り付け型の電気錠コントローラの筐体は、壁面に固定されるロアケース（本体）と、このロアケースの前面の開口部を閉鎖するアッパーケース（カバー部材）とからなる。ロアケース内には、システムにおいて電気錠を制御するための電子装置がインナーケース（部品装着体）に取り付けて収納されている。アッパーケースおよびインナーケースは、同じ側の端部、例えば左側の端部がロアケースに対して左右方向に間隔をおいて回動可能に支持されている。
【０００３】
この電気錠コントローラの筐体を壁面に設置する場合、まず、アッパーケースおよびインナーケースを開く方向に回動させ、壁面から引き出されている各種のコードをロアケース内に引き入れるようにして当該ロアケースを壁に固定する。そして、ロアケース内に引き入れられた各種のコードをインナーケースに装着されている電子装置に接続する。接続作業の終了後、インナーケースを回動させてロアケース内に収納し、次いでアッパーケースを回動させてロアケースの前面開口部を閉鎖する。
【０００４】
インナーケースには、アッパーケースの開閉を検出するためのフォトインタラプタが配設されている。このフォトインタラプタによるアッパーケースの開閉検出は次のようにして行われる。即ち、アッパーケースには遮光板（遮光突部）が突設されており、アッパーケースがロアケースの前面開口部を閉鎖する位置まで回動されると、遮光板がフォトインタラプタの投光素子と受光素子との間に入り込んで投光素子から発せられた光を遮る。逆に、アッパーケースが開放されると、遮光板がフォトインタラプタの投光素子と受光素子との間から抜け出る。
【０００５】
したがって、アッパーケースが本体の前面開口部を閉鎖した状態では、投光素子から発せられた光は遮光板に遮られて受光素子に受光されないが、アッパーケースが本体の前面開口部を開放すると、透光素子から発せられた光は受光素子に受光されるようになるので、受光素子の出力信号が受光信号であるか否かによってアッパーケースの開放および閉鎖が検出されるのである。
【０００６】
なお、本願とは直接的な関係はないが、特許文献１には、外扉と内扉の相互の干渉を避けるために両扉をリンクで結合した食器洗浄機が開示されている。
【先行技術文献】
【特許文献】
【０００７】
【特許文献１】特開平５−１１５４０７号公報
【発明の概要】
【発明が解決しようとする課題】
【０００８】
インナーケースがロアケース内に収納された状態でアッパーケースが閉鎖されると、アッパーケースの遮光板は、フォトインタラプタの投光素子や受光素子に当たることなくこれら投光素子と受光素子との間の隙間内に侵入する。ところが、場合によっては、インナーケースをロアケース内から退出させた状態のままアッパーケースを閉鎖方向に回動操作することがある。すると、アッパーケースがインナーケースに当接し、その後は、アッパーケースがインナーケースを押すようにして回動させてロアケース内に収納させることとなる。
【０００９】
このようにアッパーケースとインナーケースが一緒に回動すると、インナーケースとアッパーケースの回動支持位置が異なっているため、アッパーケースの遮光板がインナーケースに配設されているフォトインタラプタに対して相対的に横方向から接近するように移動することとなり、その相対的な横方向移動によって遮光板がフォトインタラプタの投光素子或いは受光素子に当たり、遮光板或いはフォトインタラプタが損傷する恐れがある。
【００１０】
本発明は上記の事情に鑑みてなされたもので、その目的は、カバー部材と部品装着体とが一緒に回動しても、遮光部材がフォトインタラプタに当たる恐れのない壁取り付け型機器を提供することにある。
【課題を解決するための手段】
【００１１】
請求項１の発明では、部品装着体とカバー部材とが接しながら回動するとき、間隔保持部が部品装着体とカバー部材との離間間隔を所定の間隔以上に保持し、これにより、遮光突部がフォトインタラプタに対して横方向から当接するような位置となるまで部品装着体とカバー部材とが接近することのないようにするので、遮光突部がフォトインタラプタに当たることを防止できる。
請求項２の発明では、間隔保持部が部品装着体にＬ字形にして設けられているので、部品装着体を回動操作する際に、間隔保持部を手掛けとして利用でき、操作性が向上する。
【図面の簡単な説明】
【００１２】
【図１】本発明の一実施形態を示すもので、アッパーケースおよびインナーケースをロアケースから離れる方向に回動させ、蓋体を取り外した状態での斜視図
【図２】蓋体の間隔保持部を示す斜視図
【図３】アッパーケースをインナーケースと一緒に閉鎖方向に回動させる状態を図１のＡ−Ａ線に沿って切断して示す横断底面図
【図４】（ａ）はアッパーケースを図３の状態よりも閉鎖方向に回動させた状態を図１のＡ−Ａ線に沿って切断して示す横断底面図、（ｂ）は要部の拡大図、（ｃ）はアッパーケースとインナーケースが（ｂ）よりも接近したと仮定した状態での要部の拡大図
【図５】（ａ）はアッパーケースを図４の状態よりも閉鎖方向に回動させた状態を図１のＡ−Ａ線に沿って切断して示す横断底面図、（ｂ）は要部の拡大図
【図６】（ａ）はアッパーケースを図５の状態よりもやや閉鎖方向に回動させた状態を図１のＡ−Ａ線に沿って切断して示す横断底面図、（ｂ）は要部の拡大図
【図７】（ａ）はアッパーケースを図６の状態よりも閉鎖方向に回動させた状態を図１のＡ−Ａ線に沿って切断して示す横断底面図、（ｂ）は要部の拡大図
【図８】（ａ）はインナーケースを本体内に収納しアッパーケースを閉鎖した状態を図１のＡ−Ａ線に沿って切断して示す横断底面図、（ｂ）は要部の拡大図
【発明を実施するための形態】
【００１３】
以下、本発明を壁取り付け型の電気錠コントローラに適用した一実施形態につき図面を参照しながら説明する。なお、電気錠コントローラは、防犯および操作性を高めることを目的として扉の施錠や解錠を電気的に行うシステムにおいて、その電気錠の施錠・解錠を制御するものである。
【００１４】
電気錠コントローラの筐体１は、図１および図８に示すように、壁面Ｗに取り付けられるプラスチック製のロアケース（本体）２と、同じくプラスチック製のアッパーケース（カバー部材）３とから構成されている。アッパーケース３は、一端部、例えば後部の左端部がロアケース２の前部の左端部にヒンジ４を介して回動可能に支持され、その回動によってロアケース２の前面を開閉する。なお、筐体１において、前後左右とは、壁面Ｗ（図８のみに図示、他の図では省略）に取り付けられた状態で、壁面Ｗに向かった使用者と相対する側を前、その反対側を後、使用者の右手側を右、左手側を左という。
【００１５】
ロアケース２の前面は開放されて開口部２ａとなっている。このロアケース２の内側には、前面から後方にやや奥まった位置に矩形枠状の段部２ｂが形成されていると共に、この段部２ｂの内縁から後方に向かって延びる角形の筒状部２ｃが形成されており、この筒状部２ｃの内部空間は、インナーケース（部品装着体）５を収納可能なインナーケース収納部６とされている。上記インナーケース５は、前記アッパーケース３のロアケース２への回動支持端と同じ側の一端部、つまり前部の左端部を段部２ｂの左内縁部にヒンジ７を介して回動可能に支持されており、その回動によってインナーケース収納部６に対して出入りする。なお、インナーケース５もプラスチックにより形成されている。
【００１６】
したがって、アッパーケース３とインナーケース５とは回動中心が互いに異なり、アッパーケース３の回動中心（ヒンジ４のヒンジ軸４ａ）は、インナーケース５の回動中心（ヒンジ７のヒンジ軸７ａ）よりも前方（ロアケース２が取り付けられる壁面Ｗから離れる方向）で、且つ、ロアケース２の左外側に隔たった位置に存在することとなる。なお、アッパーケース３の回動中心とインナーケース５の回動中心とは、ロアケース２の内外方向に異なるだけであっても良い（壁面Ｗからの距離は同じ）。
【００１７】
上記インナーケース５内およびインナーケース５の上部には基板８が固定されており、インナーケース５内の基板８には電源装置や電気錠システムを統括制御するための制御装置などを構成する各種の電気・電子部品９、壁面Ｗから引き出されてインナーケース５の後面部に形成された孔５ａからインナーケース５内に導入された電源線や通信線などの各種のコード１０を接続するための端子台１１などが搭載されている。そして、インナーケース５の前部には、インナーケース５の前面の大部分を覆って電気・電子部品９、コード１０、端子台１１などを隠すためのプラスチック製の蓋部材１２が取り外し可能に固定されている。なお、基板８については、図１にのみ示し、他の図では省略してある。
【００１８】
インナーケース５の上部に固定されてインナーケース５の外側に突出する基板８の前面側にはフォトインタラプタ１３が取り付けられている。このフォトインタラプタ１３は、投光素子１３ａと受光素子１３ｂを対向させて有し、基板８に配設された状態では、投光素子１３ａと受光素子１３ｂがアッパーケース３およびインナーケース５の回動方向と同じ方向、つまり左右方向に対向している。
【００１９】
このフォトインタラプタ１３に対し、アッパーケース３の上部裏側には上下に延びる遮光板（遮光突部）１４が一体に突設されている。この遮光板１４は、アッパーケース３が矢印Ｂで示す一方向、つまりロアケース２の前面の開口部２ａを閉鎖する方向（閉鎖方向）に回動されると、投光素子１３ａと受光素子１３ｂとの間の隙間１５内に侵入して投光素子１３ａから発せられる光を遮断する。
【００２０】
即ち、インナーケース５が矢印Ｃで示す一方向、つまりインナーケース収納部６内に収納される方向（収納方向）に回動されて当該インナーケース収納部６内に収納され、アッパーケース３が矢印Ｂ方向（閉鎖方向）に回動されて当該ロアケース２の前面の開口部２ａを閉鎖する位置（閉鎖位置）に至ると、遮光板１４は投光素子１３ａと受光素子１３ｂとの間の隙間１５内に侵入して投光素子１３ａから発せられる光を遮断する。そして、アッパーケース３が逆方向（矢印Ｂの逆方向）、つまりロアケース２の前面の開口部２ａを開放する方向（開放方向）に回動されると、遮光板１４は投光素子１３ａと受光素子１３ｂとの間から抜け出る。したがって、アッパーケース３が閉鎖位置にある時には受光素子１３ｂは投光素子１３ａからの光を受けず、アッパーケース３が閉鎖位置から開放方向に回動されると、受光素子１３ｂは投光素子１３ａからの光を受けるようになるので、基板８に搭載された制御装置は、受光素子１３ｂの出力信号が暗信号か明信号かによってアッパーケース３が閉鎖されたか開放されたかを検出するようになっている。
【００２１】
ここで、上述のように、アッパーケース３の回動中心とインナーケース５の回動中心とが異なることから、アッパーケース３およびインナーケース５を回動させたときの遮光板１４の先端の移動軌跡Ｋ１および投光素子１３ａと受光素子１３ｂとの間の隙間１５の移動軌跡Ｋ２は図３に示すようになる。この図３からも明らかなように、遮光板１４の先端の移動軌跡Ｋ１は、アッパーケース３が閉鎖位置にあるとき、隙間１５の移動軌跡Ｋ２と交差、したがって隙間１５と同位置にある。そして、遮光板１４の先端の移動軌跡Ｋ１は、曲率半径がフォトインタラプタ１３の隙間１５の移動軌跡Ｋ２よりも大きいので、アッパーケース３が開放方向へ回動されてゆくと、次第に隙間１５の移動軌跡Ｋ２から離れてゆくようになる。
【００２２】
このため、アッパーケース３を開放方向に回動させ、インナーケース５も同じ方向（矢印Ｃの逆方向）、つまりインナーケース５をインナーケース収納部６から退出させる方向（退出方向）に回動させた状態では、図３や図４（ａ），（ｂ）に示すように、遮光板１４は、フォトインタラプタ１３の隙間１５内から脱し、且つ、隙間１５から横方向（隙間１５に対して遮光板１４が侵入および脱出する方向と交差する方向）にずれてフォトインタラプタ１３の前方の外側方に位置した状態となる。
【００２３】
このとき、仮に、アッパーケース３とインナーケース５との間隔が狭まって、例えば図４（ｃ）に示すように遮光板１４がフォトインタラプタ１３の真横に並ぶ位置に来たとすると、この図４（ｃ）の状態からアッパーケース３とインナーケース５が一緒に閉鎖方向および収納方向に回動した場合、遮光板１４がフォトインタラプタ１３の外側面に横方向から当接し、遮光板１４やフォトインタラプタ１３の損傷を招く恐れがある。
【００２４】
この遮光板１４のフォトインタラプタ１３の外側面への当接を避けるために、アッパーケース３側の部材またはインナーケース５側の部材、本実施形態では、インナーケース５側の部材である蓋部材１２に間隔保持部１６が一体に突設されている。この間隔保持部１６は、図２に示すように、蓋部材１２のうち、例えばインナーケース５の回動支持端部とは反対側の端部である右端部からアッパーケース３側に向けて突出する突出端部１６ａと、この突出端部１６ａの先端部に蓋部材１２から離れる方向に延びてアッパーケース３とほぼ平行となる当接面部１６ｂとを備えていて、全体としてＬ字形をなしている。
【００２５】
次に上記構成の作用を説明する。ロアケース２を壁面Ｗに固定するには、アッパーケース３を開放方向に回動させ、続いて、間隔保持部１６の当接面部１６ｂに手指を掛けてインナーケース５を退出方向に回動させる。そして、例えば、図３に示すように、アッパーケース３およびインナーケース５を大きく回動させた状態で、壁面Ｗから引き出されているコード１０をロアケース２内に引き入れるようにしてロアケース２を壁面Ｗに図示しないねじなどによって固定する。
【００２６】
次に、インナーケース５から蓋部材１２を取り外し、コード１０を孔５ａからインナーケース５内に引き入れ、当該コード１０を端子台１１に接続する。そして、所定の点検作業を行った後、蓋部材１２をインナーケース５に取り付け、続いてインナーケース５を収納方向に回動させてインナーケース収納部６内に収納する。次いで、アッパーケース３を閉鎖方向に回動させて当該アッパーケース３によりロアケース２の前面の開口部を閉鎖する。
【００２７】
このとき、アッパーケース３を閉鎖方向に回動操作することによってインナーケース５も一緒に収納方向に回動させてしまうことがある。例えば、アッパーケース３およびインナーケース５が図３に示す回動位置にあったとすると、この回動位置から、アッパーケース３を閉鎖方向である矢印Ｂに回動操作した場合、当該アッパーケース３がインナーケース５側に突設されている間隔保持部１６の当接面部１６ｂに面接触し、インナーケース５を押すようにして収納方向である矢印Ｃ方向へ回動させる。
【００２８】
このようにしてアッパーケース３がインナーケース５と一緒に回動してゆくと、遮光板１４がフォトインタラプタ１３に対して相対的に前方斜め右側方から接近するように移動してゆく。しかしながら、インナーケース５は、間隔保持部１６によってアッパーケース３との離間間隔を所定の間隔以上に保持されているので、遮光板１４は、図４（ａ），（ｂ）および図５（ａ），（ｂ）に示すように、フォトインタラプタ１３に近付いても当該フォトインタラプタ１３の真横に並んだ位置に来ることなく、当該フォトインタラプタ１３の前方を通るようになる。したがって、遮光板１４がフォトインタラプタ１３の真横に並んだ状態になり、そして、フォトインタラプタ１３に真横から接近するように移動して当該フォトインタラプタ１３に当接するといった事態が起きる恐れはない。
【００２９】
そして、遮光板１４がフォトインタラプタ１３の前方に位置すると、その後、アッパーケース３がインナーケース５と一緒に閉鎖方向に回動することによって、図６（ａ），（ｂ）に示すように遮光板１４がフォトインタラプタ１３の前面に接するようになる。この状態、つまり遮光板１４がフォトインタラプタ１３の前面に接する状態となる位置まで回動すると、間隔保持部１６の当接面部１６ｂがアッパーケース３から離れ始める。したがって、以後は、フォトインタラプタ１３がアッパーケース３とインナーケース５とを所定の間隔以上に保持する機能を果たすようになる。なお、間隔保持部１６を第１の間隔保持部とすれば、フォトインタラプタ１３は第２の間隔保持部として機能することとなる。
【００３０】
遮光板１４がフォトインタラプタ１３の前面に接した後は、遮光板１４がフォトインタラプタ１３を押すようになり、アッパーケース３が更に閉鎖方向に回動してゆくと、遮光板１４はフォトインタラプタ１３を押しながらその前面を滑るようにして投光素子１３ａと受光素子１３ｂとの間の隙間１５側に向かって移動してゆく。この過程では、間隔保持部１６は更にアッパーケース３との間隔を拡げてゆく。
【００３１】
アッパーケース３が更に閉鎖方向に回動操作されると、やがて遮光板１４は、図７（ａ），（ｂ）に示すように、フォトインタラプタ１３の前面から外れる。すると、インナーケース５はそこで一旦停止するが、アッパーケース３はその後も閉鎖位置に向けて回動操作され続けるため、このアッパーケース３の単独の回動によって遮光板１４が隙間１５内に侵入してゆくようになる。同時に、このインナーケース３の単独の回動により、当該アッパーケース３は、再び間隔保持部１６の当接面部１６ｂに当接し、再度、インナーケース５を収納方向へと回動させるようになる。
【００３２】
そして、アッパーケース３は、インナーケース５を収納部６内の収納位置にまで回動させたところで、閉鎖位置に達する。このようにしてインナーケース５がインターケース収納部６内に収納され、アッパーケース３がロアケース２の開口部２ａを閉鎖する位置に至った状態では、図８（ａ），（ｂ）に示すように、遮光板１４は、隙間１５内に正規の長さだけ侵入した状態となり、投光素子１３ａが発する光を遮るようになる。
【００３３】
このように本実施例によれば、遮光板１４がフォトインタラプタ１３に横方向から当接する恐れがないので、遮光板１４やフォトインタラプタ１３の損傷を防止することができる。
また、間隔保持部１６をインナーケース５側の蓋部材１２にＬ字形にして突設したので、インナーケース５を回動操作する際、当接面部１６ｂを手掛けとして利用することができ、回動操作し易くなる。
【００３４】
なお、本発明は上記し且つ図面に示す実施形態に限定されるものではなく、以下のような拡張或いは変更が可能である。
間隔保持部１６は、少なくとも、遮光板１４がフォトインタラプタ１３の上部に接する位置に来るまでの間、アッパーケース３とインナーケース５の離間間隔を所定の間隔以上に保持するものであれば良い。その後は、離間間隔保持機能はなくとも良いが、有していても良い。ただ、多くとも、遮光板１４が投光素子１３ａと受光素子１３ｂとの間の隙間１５内に入って投光素子１３ａから発せられる光を遮る位置に到達するまでとする。
間隔保持部１６は、Ｌ字形でなくとも良い。また、間隔保持部１６は、アッパーケース３側に設けても良い。
部品装着体としては、基板８から構成しても良い。この場合には、基板８をロアケース２に回動可能に支持する。
【００３５】
アッパーケース３、インナーケース５は、左端部を回動可能に支持するものに限られず、右端部、或いは上端部、更には下端部を回動可能に支持する構成としても良い。但し、上端部、下端部を回動可能に支持する場合、フォトインタラプタ１３は投光素子１３ａと受光素子１３ｂが上下方向に対向するように配設する、つまりアッパーケース３の回動方向に対向するように配設するものである。
アッパーケース３とインナーケース５の回動中心軸は、前後および左右の両方向にずれている場合に限られず、前後方向にだけずれているもの、左右方向にだけずれているものであっても良い。
本発明を適用する壁取り付け型機器としては、電子錠コントローラに限られず、ホームセキュリティ装置など他に種々考えられる。
【符号の説明】
【００３６】
図面中、１は筐体、２はロアケース（本体）、２ａは開口部、３はアッパーケース（カバー部材）、５はインナーケース（部品装着体）、８は基板、９は電気・電子部品、１２は蓋部材、１３はフォトインタラプタ，１３ａは投光素子、１３ｂは受光素子、１４は遮光板（遮光突部）、１６は間隔保持部を示す。
【図１】
2010168772.tif 000003
【図２】
2010168772.tif 000004
【図３】
2010168772.tif 000005
【図４】
2010168772.tif 000006
【図５】
2010168772.tif 000007
【図６】
2010168772.tif 000008
【図７】
2010168772.tif 000009
【図８】
2010168772.tif 000010